(57)【特許請求の範囲】
【請求項１】
携帯用電気丸鋸のベース長手方向の全長をカバーできる長さを有するガイドベースと、
丸鋸刃の前後を跨ぐ間隔を離して該ガイドベースの両端側に直角に設けられるガイドバーと、
前記ガイドベースに設けられ、被切断材を案内する案内面構成部材と
を備え、前記ガイドバーを介して携帯用電気丸鋸のベースに着脱自在に取り付けられる携帯用電気丸鋸用平行定規であって、
前記ガイドバーが、前記携帯用電気丸鋸の反対側からも前記ベースに装着でき、また、前記ガイドバーと前記ガイドベースとが、突起に嵌合孔を嵌合させると共に、ネジにより固定され、更に、前記案内面構成部材が、前記ガイドベースの全長よりも短く、かつ、前記ガイドベースの切断方向前方側に変更可能に構成されていることを特徴とする携帯用電気丸鋸用平行定規。
【請求項２】
前記ガイドバーに前記突起を形成すると共に、前記ガイドベースに前記嵌合孔を形成したことを特徴とする請求項１記載の携帯用電気丸鋸用平行定規。
【請求項３】
前記ガイドバーに貫通孔を形成すると共に、前記ガイドベースにネジ孔を形成し、前記貫通孔と前記ネジ孔とを合わせて前記ネジを用いて前記ガイドバーと前記ガイドベースとを固定したことを特徴とする請求項１又は請求項２記載の携帯用電気丸鋸用平行定規。
【発明の詳細な説明】
【０００１】
【産業上の利用分野】
本発明は、携帯用電気丸鋸用の平行定規に関する。
【０００２】
【従来の技術及び発明が解決しようとする課題】
従来、携帯用電気丸鋸用平行定規としては、図５（Ａ），（Ｂ）に示すような１本足の固定方式のものと２本足の固定方式のものとがあった。２本足の固定方式のものは、定規が安定する利点がある反面、切断された木材の外へ逃げようとする性質から、切断位置より後方の木材がガイド側に押し付けられて切り難くなるという現象が生じるといわれている。このため、最近では、同図（Ｃ）に示すように、案内面１０１に逃げ１０２を設ける提案がなされている（特開平６−３１２４０２号公報）。
【０００３】
ところで、平行定規の使い方としては、携帯用電気丸鋸の右側に装着するだけでなく、左側に装着する場合もある。図示（Ａ），（Ｂ）の様な従来品ではそのまま反対側に装着できるのであるが、図示（Ｃ）のものでは、右側装着用の定規と左側装着用の定規とをそれぞれ用意しなければならないという問題があった。
【０００４】
しかし、こうした工具においては、部品点数が多くなるとコストアップにつながる上、管理も大変になるので、好ましくない。
そこで、本発明は、右からも左からも装着でき、しかも、安定して被切断材の案内をすることが可能であり、その上に、切り難くなることもない携帯用電気丸鋸用平行定規を提供することを目的とする。また、かかる目的を達成する上で、部品を紛失し難く、取り扱いの便利な平行定規を提供することをも他の目的とする。
【０００５】
【課題を解決するための手段、作用及び効果】
本発明の携帯用電気丸鋸用平行定規は、
携帯用電気丸鋸のベース長手方向の全長をカバーできる長さを有するガイドベースと、
丸鋸刃の前後を跨ぐ間隔を離して該ガイドベースの両端側に直角に設けられるガイドバーと、
前記ガイドベースに設けられ、被切断材を案内する案内面構成部材と
を備え、前記ガイドバーを介して携帯用電気丸鋸のベースに着脱自在に取り付けられる携帯用電気丸鋸用平行定規であって、
前記ガイドバーが、前記携帯用電気丸鋸の反対側からも前記ベースに装着でき、また、前記ガイドバーと前記ガイドベースとが、突起に嵌合孔を嵌合させると共に、ネジにより固定され、更に、前記案内面構成部材が、前記ガイドベースの全長よりも短く、かつ、前記ガイドベースの切断方向前方側に変更可能に構成されていることを特徴とする。
【０００６】
この携帯用電気丸鋸用平行定規によれば、定規を左右どちら側に取り付けようと、案内面構成部材を切断方向の前方側に配置でき、被切断材を的確に支持・案内することができる。そして、１本足固定の方式に比べると頑丈であり、しかも、２本足固定方式としては案内面が短めなので被切断材の逃げを妨げず、切り難くなるといったこともない。
【０００７】
右側でガイドする場合も左側でガイドする場合も同じ定規を使用することができ、携帯用電気丸鋸と定規のセットで考えた場合の部品点数の増加を招かず、コストを安く抑えることができる。また、利用者の部品管理の手間をなくすることができる。更に、ガイドバーとガイドベースとが、突起に嵌合孔を嵌合させると共に、ネジにより固定されるので、取り扱いが便利である。
【０００８】
ここで、この携帯用電気丸鋸用平行定規において、前記ガイドバーに前記突起を形成すると共に、前記ガイドベースに前記嵌合孔を形成してもよい。あるいは、前記ガイドバーに貫通孔を形成すると共に、前記ガイドベースにネジ孔を形成し、前記貫通孔と前記ネジ孔とを合わせて前記ネジを用いて前記ガイドバーと前記ガイドベースとを固定してもよい。
【０００９】
【実施形態】
次に、本実施形態としての携帯用電気丸鋸用の平行定規について説明する。
本実施形態の携帯用電気丸鋸用平行定規１０は、図１に示すように、携帯用電気丸鋸２０のベース２３の長手方向全長をカバーできる長さを有するガイドベース１１と、このガイドベース１１の両端近くに直角に設けられるガイドバー１３，１５と、ガイドベース１１の長さの半分より若干短く、被切断材Ｗを案内するガイドプレート１７とを備える。なお、図中、符号２１はブレードカバーであり、この内部に丸鋸刃２２が収納されている。そして、ベース２３の該当箇所には丸鋸刃２２を露出させる開口が設けられている。
【００１０】
平行定規１０は、ガイドバー１３，１５を介して携帯用電気丸鋸２０のベース２３に着脱自在に取り付けることができ、しかも、図２の様に携帯用電気丸鋸２０の反対側から装着することもできるようになっている。
ガイドプレート１７は、スライド機構３０により、ガイドベース１１に対して連結されたままで、図１の状態と図２の状態の間で取付位置の変更が可能に構成されている。
【００１１】
このスライド機構３０は、図３に示す様に、ガイドベース１１に案内面側から外側に貫通するように形成されたスライド溝３１と、このスライド溝３１に対して外側から挿入される押えネジ３３と、この押えネジ３３と螺合するようにガイドプレート１７に設けられたネジ孔３５とにより構成される。そして、押えネジ３３をきつく締めることによって、同図（Ｅ）に示す様に、ガイドプレート１７と押えネジ３３とでガイドベース１１を挟み付けることによって、ガイドプレート１７をガイドベース１１に対して固定するように構成されている。そして、この押えネジ３３を緩めて、同図（Ｆ），（Ｇ）に示す様に、スライド溝３１の反対端までガイドプレート１７を移動させてやれば、図２に示した様に、携帯用電気丸鋸２０の左側で被切断材Ｗをガイドできるようになる。
【００１２】
本実施形態の平行定規１０のガイドバー１３，１５は、図４に示す様に、ガイドベース１１の突起１１ａにガイドバー１３，１５の嵌合孔１３ａ，１５ａを嵌合させると共に、ガイドベース１１のネジ孔１１ｂ及びガイドバー１３，１５の貫通孔１３ｂ，１５ｂを合わせた上でネジ１９を用いて固定するようになっている。そして、一方のガイドバー１５については、取付位置を変更することができるようになっている。
【００１３】
なお、この平行定規１０において、ガイドプレート１７は、ガイドベース１１の一端に取り付けられたとき、後端が丸鋸刃２２の中心ＣＬより前方に位置するようになっており、切断時に外へ逃げようとする被切断材Ｗをスムーズに逃がすことができる。
【００１４】
以上説明した様に、本実施形態の平行定規１０によれば、スライド機構３０によってガイドプレート１７の取付位置を端から端まで移動することができる。この結果、一つの平行定規１０を、図１に示した様に、携帯用電気丸鋸２０の右側から被切断材Ｗをガイドするように使用することも、図２に示した様に、携帯用電気丸鋸２０の左側から被切断材Ｗをガイドするように使用することもできる。そして、どちら側からガイドする場合も、切断方向の前方側から丸鋸刃２２の中心より若干手前までだけでガイドすることになり、切断によって外へ広がろうとする被切断材Ｗをスムーズに逃がすことができ、切り易い状態のままで切断作業を行うことができる。
【００１５】
この結果、携帯用電気丸鋸２０と平行定規１０とをセットで考えた場合、左右どちらからもガイドすることができるにもかかわらず部品点数の増加を招くことがなく、コストを安く抑えることができる。また、利用者の部品管理の手間をなくすことができる。
【００１６】
以上、本発明の実施形態を説明したが、本発明は、前記実施形態に限定されるものではなく、本発明の要旨を逸脱しない限り種々なる態様に変形することが可能である。例えば、ガイドプレート１７は完全に取り外して位置を変更する構成としておいてもよいし、回転させて反対側へ移動させるようにしてもよく、スライドさせて位置変更する場合も本実施形態のスライド機構３０に限らないことはもちろんである。
【図面の簡単な説明】
【図１】本実施形態の携帯用電気丸鋸用平行定規の使用状態の説明図である。
【図２】本実施形態の携帯用電気丸鋸用平行定規の使用状態の説明図である。
【図３】本実施形態の携帯用電気丸鋸用平行定規でガイドバーを取り外した状態を示し、（Ａ）は平面図、（Ｂ）は正面図、（Ｃ）は底面図、（Ｄ）は右側面図、（Ｅ）はＸ−Ｘ断面図、（Ｆ）はガイドプレートを反対の端に移動した状態の正面図、（Ｇ）はガイドプレートを反対の端に移動した状態の底面図である。
【図４】本実施形態の携帯用電気丸鋸用平行定規でガイドバーを取り付けた状態を示し、（Ａ）は平面図、（Ｂ）は正面図、（Ｃ）はＹ−Ｙ断面図、（Ｄ）はＺ−Ｚ断面図である。
【図５】従来例の説明図である。
【符号の説明】
１０・・・携帯用電気丸鋸用平行定規、１１・・・ガイドベース、１１ａ・・・突起、１１ｂ・・・ネジ孔、１３，１５・・・ガイドバー、１３ａ，１５ａ・・・嵌合孔、１３ｂ，１５ｂ・・・貫通孔、１７・・・ガイドプレート、１７ａ・・・爪、１７ｂ・・・くぼみ部分、１９・・・ネジ、２０・・・携帯用電気丸鋸、２１・・・ブレードカバー、２２・・・丸鋸刃、２３・・・ベース、３０・・・スライド機構、３１・・・スライド溝、３３・・・押えネジ、３５・・・ネジ孔、Ｗ・・・被切断材。
【図１】
0003576134.tif 000002
【図２】
0003576134.tif 000003
【図３】
0003576134.tif 000004
【図４】
0003576134.tif 000005
【図５】
0003576134.tif 000006